(57)【要約】【課題】  見栄えのよい状態でかつ容易迅速に設置作業が行える映像表示装置の吊り下げ装置を提供する点にある。【解決手段】  天井から垂設される支持部材５の下部に、それの前方に位置させた映像表示装置１を取り付け、前記支持部材５の下部側で、かつ、前記映像表示装置の背面側に位置する部位に、該映像表示装置１に対する電源用コンセント１８を備えさせて、映像表示装置の吊り下げ装置を構成した。【選択図】        図２
2005221653.tif 000002
【特許請求の範囲】
【請求項１】
天井から垂設される支持部材の下部に、それの前方に位置させた映像表示装置を取り付け、前記支持部材の下部側で、かつ、前記映像表示装置の背面側に位置する部位に、該映像表示装置に対する電源用コンセントを備えさせたことを特徴とする映像表示装置の吊り下げ装置。
【請求項２】
前記支持部材を、前記天井から垂設される筒状部材と、この筒状部材に対してほぼ上下軸芯周りで回転自在に取り付けられ、かつ、前記映像表示装置が取り付けられる取付部材とから構成し、前記電源用コンセントを前記筒状部材のほぼ真下に配置し、前記筒状部材内を通して該筒状部材の下端まで挿通された電力供給用の電線の先端を前記電源用コンセントに接続してなる請求項１記載の映像表示装置の吊り下げ装置。
【請求項３】
前記映像表示装置が、それの電源部に商用交流電源からの交流電圧を降圧するとともに直流電圧に変換するためのＡＣアダプターを介して入力されるものから構成され、前記支持部材に前記アダプターを載置可能な載置部を備えさせてなる請求項１又は２記載の映像表示装置の吊り下げ装置。
【請求項４】
前記取付部材を、前記筒状部材に対して上下軸芯周りで回転自在に取り付けられた上部側部材と、前記映像表示装置が取り付けられ、かつ、前記上部側部材に対してほぼ水平軸芯周りで揺動自在に取り付けられる下部側部材とから構成してなる請求項２記載の映像表示装置の吊り下げ装置。
【請求項５】
前記映像表示装置が、液晶ディスプレイでなる請求項１〜４のいずれかに記載の映像表示装置の吊り下げ装置。
【発明の詳細な説明】
【技術分野】
【０００１】
本発明は、プラズマディスプレイや液晶ディスプレイあるいはＣＲＴディスプレイなどの映像表示装置、特に薄型で小型軽量が可能となる液晶ディスプレイを天井から吊り下げ支持するための映像表示装置の吊り下げ装置に関する。
【背景技術】
【０００２】
上記映像表示装置を天井から吊り下げるための吊り下げ装置は、例えば円筒状の支持柱と、この支持柱の下端に溶接されたレの字形状の取付板材とからなり、前記取付板材に係止するべく、逆レの字形状に折り曲げ形成されたブラケットをプラズマディスプレイに取り付け、そのプラズマディスプレイを取り付けたブラケットを取付板材に係止した後、両者に形成の貫通孔にボルトを挿通させてナットを螺合させることにより、プラズマディスプレイを吊り下げ装置にて天井から吊り下げ支持することができるようにしたものが提案されている（例えば、特許文献１参照。）。
【特許文献１】特開２００１−２８２１３１号公報（図１）
【発明の開示】
【発明が解決しようとする課題】
【０００３】
上記特許文献１によれば、プラズマディスプレイを吊り下げ装置にて天井から吊り下げることができるものの、吊り下げた後に該プラズマディスプレイの電源コードを差し込むための電源用コンセントを別の場所にあるコンセントから延長させた電線の先端を接続してから、その電源用コンセントが外部から容易に見えないように天井側の固定部材側に固定しなければならず、プラズマディスプレイの設置作業が手間のかかる煩わしい作業になっていた。
又、前記プラズマディスプレイを吊り下げ装置にて固定した後、天井側に配設したコンセントへプラズマディスプレイの電源コードの先端の電源用プラグを差し込むことになるが、プラズマディスプレイの電源コードが長尺であるため、垂れ下がってしまうため、その電源コードを例えばモールに入れるとともにそのモールを吊り下げ装置の背面側に両面テープなどを用いて固定する作業を必要とし、前記設置作業がさらに煩わしいものになり、改善の余地があった。
【０００４】
本発明が前述の状況に鑑み、解決しようとするところは、見栄えのよい状態でかつ容易迅速に設置作業が行える映像表示装置の吊り下げ装置を提供する点にある。
【課題を解決するための手段】
【０００５】
本発明は、前述の課題解決のために、天井から垂設される支持部材の下部に、それの前方に位置させた映像表示装置を取り付け、前記支持部材の下部側で、かつ、前記映像表示装置の背面側に位置する部位に、該映像表示装置に対する電源用コンセントを備えさせたことを特徴としている。
上記のように支持部材の下部に映像表示装置を前方に位置させた状態で取り付けることによって、電源用コンセントが映像表示装置にて隠すことができ、前方側からは電源用コンセントが見えなくなる。そして、映像表示装置を支持部材に取り付けた後、映像表示装置の電源用プラグを電源用コンセントに差し込むだけで、映像表示装置の設置作業が完了する。尚、前記支持部材を天井に取り付ける際、又は取り付けた後に、電源用コンセントに他のコンセントから延長した電線の先端を接続することになるが、他のコンセントから電源用コンセントまでの距離分の長さに電線を切断することにより、電線が大きく垂れ下がるようなことがない。
【０００６】
前記支持部材を、前記天井から垂設される筒状部材と、この筒状部材に対してほぼ上下軸芯周りで回転自在に取り付けられ、かつ、前記映像表示装置が取り付けられる取付部材とから構成し、前記電源用コンセントを前記筒状部材のほぼ真下に配置し、前記筒状部材内を通して該筒状部材の下端まで挿通された電力供給用の電線の先端を前記電源用コンセントに接続してもよい。
【０００７】
前記映像表示装置が、それの電源部に商用交流電源からの交流電圧を降圧するとともに直流電圧に変換するためのＡＣアダプターを介して入力されるものから構成され、前記支持部材に前記アダプターを載置可能な載置部を備えさせてもよい。
【０００８】
前記取付部材を、前記筒状部材に対して上下軸芯周りで回転自在に取り付けられた上部側部材と、前記映像表示装置が取り付けられ、かつ、前記上部側部材に対してほぼ水平軸芯周りで揺動自在に取り付けられる下部側部材とから構成してもよい。
【０００９】
前記映像表示装置が、液晶ディスプレイで構成してもよい。
【発明の効果】
【００１０】
支持部材の下部に映像表示装置を前方に位置させた状態で取り付けるだけで、電源用コンセントを映像表示装置にて隠した状態で備えさせることができるから、映像表示装置を支持部材に取り付けた後、映像表示装置の電源用プラグを電源用コンセントに差し込むだけで、映像表示装置の設置作業を完了させることができるだけでなく、別のコンセントなどから延長させた電線が大きく垂れ下がって支持部材の前方から大きく露呈するようなことがない。したがって、見栄えのよい状態でかつ容易迅速に設置作業が行える映像表示装置の吊り下げ装置を提供することができるのである。又、電源用コンセントに対するメンテナンスを、天井に設けた場合に比べて、容易に行える利点もある。
【００１１】
支持部材を、天井から垂設される筒状部材と、この筒状部材に対してほぼ上下軸芯周りで回転自在に取り付けられ、かつ、映像表示装置が取り付けられる取付部材とから構成することによって、水平方向での角度調節を行うことができる。又、電源用コンセントを筒状部材のほぼ真下に配置し、筒状部材内を通して筒状部材の下端まで挿通された電力供給用の電線の先端を電源用コンセントに接続することによって、筒状部材を利用して電線を隠すことができるだけでなく、ほぼ真下に配置した電源用コンセントまでの電線の距離を最短距離にすることができる。
【００１２】
映像表示装置が、それの電源部に商用交流電源からの交流電圧を降圧するとともに直流電圧に変換するためのＡＣアダプターを介して入力されるものから構成され、支持部材にＡＣアダプターを載置可能な載置部を備えさせることによって、ＡＣアダプターに対する特別な固定作業を不要にして、設置作業をさらに迅速に行うことができる。
【００１３】
取付部材を、筒状部材に対して上下軸芯周りで回転自在に取り付けられた上部側部材と、映像表示装置が取り付けられ、かつ、上部側部材に対してほぼ水平軸芯周りで揺動自在に取り付けられる下部側部材とから構成することによって、水平面よりも上方に位置する映像表示装置の画面を見る視線と水平面とのなす角度、つまり仰角を調節することができる。
【発明を実施するための最良の形態】
【００１４】
図１及び図２に、映像表示装置の一例である液晶ディスプレイを天井から吊り下げた状態で取り付けることができる液晶ディスプレイ１の吊り下げ装置を示している。ここでは、特に小型で軽量な３６インチ以下の液晶ディスプレイを取り付ける場合に有利となるが、プラズマディスプレイ（略してＰＤＰ）や１５ｋｇ以下の小型ＣＲＴディスプレイなどであってもよい。前記ディスプレイとは、パソコン、ビデオテープデッキ、ＤＶＤプレーヤーなどの映像再生装置からの映像を映し出すだけでなく、チューナーを備えたテレビジョンとして利用することができるものも含むものとする。
【００１５】
前記吊り下げ装置は、天井裏から垂設し、天井２を貫通させた金属製（ほぼ同等の強度を有するものであれば、他の材質であってもよい）の円筒状金属製パイプＰの下端に下方から外嵌した後、貫通用のボルトＢ１及び螺合用のナットＮ１にて固定される金属製（ほぼ同等の強度を有するものであれば、他の材質であってもよい）円筒状部材（角筒状であってもよい）３と、この円筒状部材３に対してほぼ上下軸芯Ｘ周りで回転自在に取り付けられ、かつ、液晶ディスプレイ１が取り付けられる金属製（ほぼ同等の強度を有するものであれば、他の材質であってもよい）の取付部材４とからなる支持部材５から構成されている。尚、前記円筒状部材３を、前記金属製パイプＰにて兼用構成してもよい。
【００１６】
前記取付部材４は、円筒状部材３に対して上下軸芯Ｘ周りで回転自在に取り付けられた上部側部材６と、液晶ディスプレイ１が取り付けられ、かつ、上部側部材６に対してほぼ水平軸芯Ｙ周りで揺動自在に取り付けられる下部側部材７とから構成されている。
【００１７】
前記上部側部材６は、円筒状部材３の下端に備えさせたドーナツ状のフランジ部３Ａに対して上下から挟持し、かつ、複数のボルトＢ２により固定可能な中心に開口８Ｋ，９Ｋが形成された上下一対の挟持部材８，９と、これら挟持部材８，９のうちの上側の正面視ほぼ門型の挟持部材８の左右両側の板部８Ａ，８Ａにボルト固定され、前面に液晶ディスプレイ１が正面視ほぼＩ字状で板状のブラケット１０を介して固定される縦長状の可動部材１１とからなっている。
したがって、ボルトＢ２を弛緩操作した後、固定側の円筒状部材３に対して挟持部材８，９を上下軸芯Ｘ周りで回転させることにより、液晶ディスプレイ１を水平方向（左右方向）での角度調節を行うことができるようにしている。又、前記上側の挟持部材８の左右両側の板部８Ａ，８Ａの前後方向ほぼ中央に揺動支点となる孔８ａ，８ａが形成されるとともに、それら孔８ａ，８ａの後側に上下方向に円弧状の長孔８ｂ，８ｂが形成され、それら孔８ａ，８ａ、８ｂ，８ｂを貫通したボルトＢ３，Ｂ３、Ｂ４，Ｂ４の先端が挿通する貫通孔１２ａ，１２ａを、可動部材１１を構成する平面視ほぼＵの字状の上端部材１２の左右の側板１２Ａ，１２Ａに形成すると共に貫通した該ボルトＢ３，Ｂ３、Ｂ４，Ｂ４の先端が螺合するナットＮ２，Ｎ２を該左右側板１２Ａ，１２Ａの内面に溶接してあり、ボルトＢ４，Ｂ４を弛緩操作することによって、長孔８ｂ，８ｂ内で可動部材１１を水平軸芯Ｙ周りで揺動自在に構成して、図１に示すように、実線で示す垂直位置から２点鎖線で示すほぼ３０度下端が後側へ揺動された後ろ上がり傾斜位置までの任意の位置に位置させることによって、液晶ディスプレイ１の画面を見る視線と水平面とのなす角、つまり仰角を変更することができるようになっている。
【００１８】
前記可動部材１１は、前記上側の挟持部材８にボルト固定される上端部材１２と、この上端部材１２の前側板１２Ｂに形成の左右一対の縦スリット１２ｂ，１２ｂに挿通して溶接固定されると共に前記ブラケット１０をボルトＢ５にて固定可能な横断面形状がほぼコの字状の前側板部１３と、この前側板部１３の裏面側に溶接された側面視ほぼコの字状の補強板１４を介してボルトＢ６及びナットＮ３を用いて取り付けられ、かつ、上端に後述するコンセント１８を保持するための上端側ほど後方に位置する後上がり斜め姿勢のボックス部１５Ａを備えた側面視ほぼＬ字状の補助部材１５とからなっているが、他の構成であってもよい。図５に示す１６は、前記前側板部１３の左右の側板１３Ａ，１３Ａの上下複数箇所に形成の貫通孔１３ａを貫通させる前記ボルトＢ５の先端を螺合させるための螺子部１６ａが形成された金属板であり、該側板１３Ａ，１３Ａの内面に溶接固定されている。前記補助部材１５は、正面視ほぼ逆Ｔ字状の前板部１５Ｂと、この前板部１５Ｂの下端から水平方向後方へ延出された底板部１５Ｃと、この底板部１５Ｃの後端から上方へ延出された垂直板部１５Ｄとを備えてなり、これら３つの板部１５Ｂ，１５Ｃ，１５Ｄにて形成される空間Ｋ内に、前記液晶ディスプレイ１の内部に備えている電源部に商用交流電源からの交流電圧を降圧するとともに直流電圧に変換するためのＡＣアダプター１６を載置収納することができるようになっている（図２参照）。図１〜図５では、３つの板部１５Ｂ，１５Ｃ，１５ＤからＡＣアダプター１６を載置するための載置部を構成しているが、２つの板部１５Ｂ，１５ＣからＡＣアダプター１６を載置するための載置部を構成してもよいが、この場合、バンドなどにより底板部１５ＣにＡＣアダプター１６を固定することが好ましい。又、図６に示すように、垂直板部１５Ｄの上方にも他の部材で形成された第２の垂直板部１７をボルトＢ７を用いて固定しておくことによって、ＡＣアダプター１６を固定しなくても、ＡＣアダプター１６が可動部材１１から容易に離脱することがないようにすることができ、好ましい。尚、前記垂直板部１７をＡＣアダプター１６の大きさに合わせて上下移動可能に構成しておくことによって、バンドなどの固定手段を不要にすることができる。
【００１９】
前記ボックス部１５Ａは、パソコンからの信号を液晶ディスプレイ１側へ出力するための信号用コネクターを備えたコンセント１８を外部へ露出させるための開口部１５Ｋが形成された矩形状の傾斜板部１５ａと、この傾斜板部１５ａの３辺から上方に立ち上げて前記コンセント１８を収容するための内部空間を形成するための３枚の板部１５ｂ，１５ｃ，１５ｄとからなり、このボックス部１５Ａに取り付けられたコンセント１８に、前記ＡＣアダプター１６からの入力用コード１９の先端に備えさせたプラグ２０を差し込むことにより、液晶ディスプレイ１の電源部（図示せず）へ該ＡＣアダプター１６からの出力用コード２１を介して直流電圧が供給されるようになっている。又、液晶ディスプレイ１と前記コンセント１８に備えた信号用コネクターとを信号ケーブルにより接続することにより、パソコンからの信号を液晶ディスプレイ１側へ出力することができるようになっている。前記のようにコンセント１８を、支持部材５の下部側で、かつ、液晶ディスプレイ１の背面側に位置する部位に配置することによって、正面から液晶ディスプレイ１を見たときにコンセント１８が見えないようになっている。
前記コンセント１８への商用交流電圧の供給は、例えば他の場所に設置しているコンセントなどから電線を引っ張ってきて、前記パイプＰ内を挿通させてからパイプＰの直下方に配設されるコンセント１８に接続することになる。又、前記パソコンからの信号ケーブルを前記パイプＰ内を挿通させてからパイプＰの直下方に配設されるコンセント１８の信号用コネクターへ接続することになる。ここでは、コンセント１８に電源プラグ差し込み口及びパソコン用の信号用コネクターを備えさせた場合を示したが、電源プラグ差し込み口のみ備えさせて実施してもよいし、前記電線と同じようにアンテナ線をパイプＰ内を挿通させてコンセント１８に液晶ディスプレイ１からの同軸ケーブルの先端を差し込むことができるアンテナ接続用差し込み口を設けたり、ビデオテープデッキやプロジェクターあるいはＤＶＤプレーヤーからの映像を液晶ディスプレイ１へ出力することができるようにピンコード接続用の差し込み口を設けて実施することもできる。
【図面の簡単な説明】
【００２０】
【図１】液晶ディスプレイを吊り下げ装置を用いて天井から吊り下げた状態を示す側面図である。
【図２】図１の吊り下げ装置にＡＣアダプターを載置した状態を示す側面図である。
【図３】吊り下げ装置の正面図である。
【図４】吊り下げ装置の斜視図である。
【図５】吊り下げ装置の分解斜視図である。
【図６】別の吊り下げ装置の側面図である。
【符号の説明】
【００２１】
１  液晶ディスプレイ
２  天井
３Ａ  フランジ部
３  円筒状部材
４  取付部材
５  支持部材
６  上部側部材
７  下部側部材
８ａ，８ａ  孔
８，９  挟持部材
８Ａ，８Ａ  板部
８ｂ，８ｂ  長孔
８Ｋ，９Ｋ  開口
１０  ブラケット
１１  可動部材
１２  上端部材
１２Ａ，１２Ａ  側板
１２Ｂ  前側板
１２ｂ，１２ｂ  縦スリット
１２ａ，１２ａ  貫通孔
１３Ａ，１３Ａ         側板
１３  前側板部
１３ａ  貫通孔
１４  補強板
１５Ａ  ボックス部
１５ａ  傾斜板部
１５Ｂ  前板部
１５Ｄ  垂直板部
１５Ｃ  底板部
１５ｂ，１５ｃ，１５ｄ  板部
１５  補助部材
１５Ｋ  開口部
１６  アダプター
１６ａ  螺子部
１７  垂直板部
１８  コンセント
１９  入力用コード
２０  プラグ
２１  出力用コード
Ｂ１〜Ｂ７  ボルト
Ｋ  空間
Ｎ１〜Ｎ３  ナット
Ｐ  パイプ
Ｘ  上下軸芯
Ｙ  水平軸芯
【図１】
2005221653.tif 000003
【図２】
2005221653.tif 000004
【図３】
2005221653.tif 000005
【図４】
2005221653.tif 000006
【図５】
2005221653.tif 000007
【図６】
2005221653.tif 000008